【事件の表示】
　特願２０１４−　６８６５０号「遊技台」拒絶査定不服審判事件〔平成２７年１１月　２日出願公開、特開２０１５−１８８６１８号〕について、次のとおり審決する。
【結　論】
　本件審判の請求は、成り立たない。
【理　由】
第１　手続の経緯
　本願は，平成２６年３月２８日の出願であって，同年１１月２７日付けで拒絶理由通知がなされ，同年１２月２４日付けで意見書及び手続補正書が提出され，平成２７年２月２６日付けで最後の拒絶理由通知がなされ，同年３月１７日付けで意見書及び手続補正書が提出されたが，同年５月１３日付けで最後の拒絶理由通知がなされ，これに対し同年６月１２日付けで意見書及び手続補正書が提出されたが，平成２７年６月１２日付け手続補正書でなされた補正について，同年８月４日付けで補正の却下の決定がなされるとともに拒絶査定がなされ，これに対して，同年９月２５日付けで拒絶査定不服審判の請求がなされるとともに手続補正書が提出されたものである。
第２　平成２７年９月２５日付けの手続補正についての補正却下の決定
［補正却下の決定の結論］
　平成２７年９月２５日付けの手続補正（以下，「本件補正」という。）を却下する。
［理由］
１　補正の内容
　平成２７年６月１２日付けの手続補正は既に補正の却下の決定がなされている。そして，本件補正は，特許請求の範囲の請求項１の記載の補正を含む補正であり，特許請求の範囲の請求項１は，
補正前（平成２７年３月１７日付け手続補正）の
「【請求項１】
　図柄変動表示を実行可能な図柄表示手段と、
　複数種類の予告を実行可能な予告手段と、
　表示手段と、
を備えた遊技台であって、
　前記複数種類の予告のうちの少なくとも一つは、第一の種類の予告であり、
　前記複数種類の予告のうちの前記第一の種類の予告とは別の少なくとも一つは、第二の種類の予告であり、
　前記第一の種類の予告は、前記図柄変動表示の実行中において、該図柄変動表示に関連する予告であり、
　前記第二の種類の予告は、前記図柄変動表示の実行中において、該図柄変動表示に関連する予告であり、
　前記第一の種類の予告は、第一の予告と第三の予告を含む予告であり、
　前記第二の種類の予告は、第二の予告と第四の予告を含む予告であり、
　前記予告手段は、前記表示手段に第一の表示を表示させることにより前記第一の予告を実行可能な手段であり、
　前記予告手段は、前記表示手段に第三の表示を表示させることにより前記第三の予告を実行可能な手段であり、
　前記予告手段は、前記表示手段に第二の表示を表示させることにより前記第二の予告を実行可能な手段であり、
　前記予告手段は、前記表示手段に第四の表示を表示させることにより前記第四の予告を実行可能な手段であり、
　前記第三の表示は、前記第一の表示と同じ形の表示であり、
　前記第三の表示における少なくとも一部（以下、「第一の領域」という。）の模様（以下、「第一の模様」という。）は、前記第一の表示における前記第一の領域に対応する領域の模様と異なる模様であり、
　前記第四の表示は、前記第二の表示と同じ形の表示であり、
　前記第四の表示における少なくとも一部（以下、「第二の領域」という。）の模様（以下、「第二の模様」という。）は、前記第二の表示における前記第二の領域に対応する領域の模様と異なる模様であり、
　前記第二の模様は、前記第一の模様と同じ模様であり、
　前記予告手段は、一回の前記図柄変動表示の実行中において、前記第三の予告と前記第四の予告の両方の予告を実行可能な手段であり、
　前記第一の種類の予告は、前記第二の種類の予告によって少なくとも一部が隠される場合がある予告である、
ことを特徴とする遊技台。」
から，
補正後（本件補正である平成２７年９月２５日付け手続補正）の
「【請求項１】
　図柄変動表示を実行可能な図柄表示手段と、
　複数種類の予告を実行可能な予告手段と、
　表示手段と、
を備えた遊技台であって、
　前記複数種類の予告のうち
の一
　前記複数種類の予告のうち
の一
　前記第一の種類の予告は、前記図柄変動表示の実行中において、該図柄変動表示に関連する予告であり、
　前記第二の種類の予告は、前記図柄変動表示の実行中において、該図柄変動表示に関連する予告であり、
　前記第一の種類の予告は、第一の予告と第三の予告を含む予告であり、
　前記第二の種類の予告は、第二の予告と第四の予告を含む予告であり、
　
前記第一の予告が行われる場合よりも前記第三の予告が行われる場合の方が遊技者にとって有利な結果に結びつきやすいものであり、
　前記第二の予告が行われる場合よりも前記第四の予告が行われる場合の方が遊技者にとって有利な結果に結びつきやすいものであり、
　前記予告手段は、前記表示手段に第一の表示を表示させることにより前記第一の予告を実行
する
　前記予告手段は、前記表示手段に第三の表示を表示させることにより前記第三の予告を実行
する
　前記予告手段は、前記表示手段に第二の表示を表示させることにより前記第二の予告を実行
する
　前記予告手段は、前記表示手段に第四の表示を表示させることにより前記第四の予告を実行
する
　前記第三の表示は、前記第一の表示と同じ形の表示であり、
　前記第三の表示における少なくとも一部（以下、「第一の領域」という。）の模様（以下、「第一の模様」という。）は、前記第一の表示における前記第一の領域に対応する領域の模様と異なる模様であり、
　前記第四の表示は、前記第二の表示と同じ形の表示であり、
　前記第四の表示における少なくとも一部（以下、「第二の領域」という。）の模様（以下、「第二の模様」という。）は、前記第二の表示における前記第二の領域に対応する領域の模様と異なる模様であり、
　
前記第四の表示における
前記第三の表示における
　
前記第三の予告と前記第四の予告は、少なくとも一部の期間が重なって行われる場合（以下、「第一の場合」という。）があり、
　前記
第四
前記第一の場合において
第三
の
に重なって表示
ことを特徴とする遊技台。」
へ補正された（下線部は補正箇所を示す。）。
２　補正の適否について
　本件補正は，特許請求の範囲の請求項１について，以下の補正事項を含むものである。
（１）補正事項１
　「前記複数種類の予告のうちの少なくとも一つは、第一の種類の予告であり、前記複数種類の予告のうちの前記第一の種類の予告とは別の少なくとも一つは、第二の種類の予告であり、」との記載を，「前記複数種類の予告のうち
の一
の一
（２）補正事項２
　「
前記第一の予告が行われる場合よりも前記第三の予告が行われる場合の方が遊技者にとって有利な結果に結びつきやすいものであり、前記第二の予告が行われる場合よりも前記第四の予告が行われる場合の方が遊技者にとって有利な結果に結びつきやすいものであり、
（３）補正事項３
　「前記予告手段は、前記表示手段に第一の表示を表示させることにより前記第一の予告を実行可能な手段であり、前記予告手段は、前記表示手段に第三の表示を表示させることにより前記第三の予告を実行可能な手段であり、前記予告手段は、前記表示手段に第二の表示を表示させることにより前記第二の予告を実行可能な手段であり、前記予告手段は、前記表示手段に第四の表示を表示させることにより前記第四の予告を実行可能な手段であり、」との記載を，「前記予告手段は、前記表示手段に第一の表示を表示させることにより前記第一の予告を実行
する
する
する
する
（４）補正事項４
　「前記第二の模様は、前記第一の模様と同じ模様であり、」との記載を，「
前記第四の表示における
前記第三の表示における
（５）補正事項５
　「前記予告手段は、一回の前記図柄変動表示の実行中において、前記第三の予告と前記第四の予告の両方の予告を実行可能な手段であり、前記第一の種類の予告は、前記第二の種類の予告によって少なくとも一部が隠される場合がある予告である、」との記載を，「
前記第三の予告と前記第四の予告は、少なくとも一部の期間が重なって行われる場合（以下、「第一の場合」という。）があり、
第四
前記第一の場合において
第三
の
に重なって表示
　上記補正事項１，３，４については，その記載を明確とすることを目的とするものであると認められるから，特許法第１７条の２第５項第４号の明りょうでない記載の釈明を目的とするものに該当する。
　上記補正事項２は，第一の予告と第三の予告に関して「前記第一の予告が行われる場合よりも前記第三の予告が行われる場合の方が遊技者にとって有利な結果に結びつきやすい」とし，第二の予告と第四の予告に関して「前記第二の予告が行われる場合よりも前記第四の予告が行われる場合の方が遊技者にとって有利な結果に結びつきやすい」とし，第一の予告と第三の予告の関係，及び，第二の予告と第四の予告の関係について限定するものである。
　上記補正事項５は，第三の予告と第四の予告が，一回の前記図柄変動表示の実行中において両者が実行されるとの事項を，少なくとも一部の期間が重なるように実行されるというように，その実行タイミングを限定するものである。
　また，本件補正前の特許請求の範囲の請求項１に記載された発明と本件補正後の特許請求の範囲の請求項１に記載される発明の産業上の利用分野及び解決しようとする課題が同一であるので，上記訂正事項２，５は，特許法第１７条の２第５項第２号の特許請求の範囲の減縮を目的とするものに該当する。
　そして，上記補正事項１〜５は，新規事項を追加するものではない。
３　独立特許要件
　そこで，本件補正後の請求項１に記載された発明（以下，「本願補正発明」という。）が特許出願の際独立して特許を受けることができるものであるか（特許法第１７条の２第６項において準用する同法第１２６条第７項の規定に適合するか）について以下に検討する。
（１）刊行物１に記載された発明
　原査定の拒絶の理由に引用された本願の出願日前に頒布された刊行物である，特開２０１３−２５２３７９号公報（以下，「刊行物１」という。）には，図面とともに次の事項が記載されている（下線は当審で付与した。以下同様。）。
（１−ａ）「【０００１】
　本発明は、パチンコ機、アレンジボール機、スロットマシン等の
遊技機
（１−ｂ）「【００１９】
　
第１，第２特別図柄表示手段２３ａ，２３ｂは
特別図柄を変動表示可能
第１特別図柄表示手段２３ａは
第２特別図柄表示手段２３ｂは
第１，第２特別図柄
変動表示
（１−ｃ）「【００２３】
　演出図柄表示手段２７は、例えば第１，第２特別図柄表示手段２３ａ，２３ｂによる第１，第２特別図柄の変動表示と並行して（例えば時間的に同調して）演出図柄Ｅ（図柄画像）を変動表示するもので、１個又は複数個、例えば左右方向に３個の演出図柄Ｅを例えば各種の演出画像と共に液晶表示手段２１の表示画面２１ａに変動表示可能に構成されており、特別図柄始動手段１７の特別始動口１７ａ，１７ｂに遊技球が入賞することを条件に、
第１，第２特別図柄の変動開始と同時に所定の変動パターンに従って演出図柄Ｅの変動を開始すると共に、第１，第２特別図柄の変動停止と同時に最終停止するように、演出図柄Ｅを左、右、中等の所定の順序で停止させるようになっている。
（１−ｄ）「【００３７】
　特別図柄処理手段５４は、第１，第２特別図柄の変動表示に関する処理を行うもので、特別図柄表示手段２３ａ，２３ｂが変動表示可能な状態となり且つ特別乱数記憶手段５３に１個以上の大当たり判定乱数値が記憶されていること（第１，第２特別保留個数が１以上であること）を条件に、第２特別保留個数が１以上である場合には特別乱数記憶手段５３に第２特別保留個数のうちで最も早く記憶された大当たり判定乱数値を取り出し、第２特別保留個数が０で且つ第１特別保留個数が１以上である場合には特別乱数記憶手段５３に第１特別保留個数のうちで最も早く記憶された大当たり判定乱数値を取り出し、
その大当たり判定乱数値が予め定められた大当たり判定値と一致するか否かに応じて大当たり／外れの判定を行う大当たり判定機能、大当たり／外れの判定結果と、特別乱数記憶手段５３に大当たり判定乱数値と共に記憶されている大当たり図柄乱数値又は新たに取得された外れ図柄乱数値とに基づいて、第１，第２特別図柄の変動後の停止図柄を選択する特別停止図柄選択機能、大当たり／外れの判定結果と新たに取得された変動パターン乱数値とに基づいて、演出図柄Ｅの変動パターンを例えば図８等に示す５種類の中から選択する変動パターン選択機能等を備えている。
（１−ｅ）「【００５６】
　Ｓ２において変動パターンと停止図柄とが整合していると判定された場合には（Ｓ２：Ｙｅｓ）、主制御基板３１から受信した変動パターンコマンド“Ａ＊＊＊Ｈ”（＊＊は各変動パターンに固有の値）と図柄指定コマンド“Ｂ＊＊＊Ｈ”（＊＊は各停止図柄態様に固有の値）とが例えばそのまま液晶制御基板３３に送信される（Ｓ４，Ｓ５）と共に、
予告演出抽選手段６４ａによって予告演出抽選処理が実行される（Ｓ６）。
【００５７】
　本実施形態のパチンコ機は、例えば２種類の演出モード１，２を備えている。この演出モードは、例えば特別遊技状態中を演出モード１、それ以外の通常遊技状態中を演出モード２とするなど、任意に設定可能である。もちろん、演出モードを３種類以上設けてもよい。
【００５８】
　
予告演出抽選処理（Ｓ６）では、例えば図４に示すように、演出モードに対応した分岐抽選テーブルと変動パターンとに基づいて抽選グループを選択する分岐抽選が行われ（Ｓ１１）。
【００５９】
　
次に、分岐抽選（Ｓ１１）によって選択された抽選グループに対応する演出抽選テーブル選択テーブルに基づいて、複数種類の予告演出について、夫々シナリオの抽選を行うか否か（即ちその予告演出を実行するか否か）、及びシナリオの抽選を行う場合にはその抽選に用いる演出抽選テーブルについて特定される（Ｓ１２）。
予告演出は予告演出１〜７の７種類設けられている
【００６０】
　図９に示す各演出抽選テーブル選択テーブルには、複数種類の予告演出毎に、シナリオの抽選に用いる演出抽選テーブルの種類を示す情報（例えばｙｏ１＿ＴＢＬ１，ｙｏ４＿ＴＢＬ２等）、又はそのシナリオの抽選を行わない（予告演出を実行しない）旨の情報（例えばｙｏ１＿０，ｙｏ２＿０等）が設定されている。例えば分岐抽選（Ｓ１１）で抽選グループＡが選択された場合には、図９（ａ）の演出抽選テーブル選択テーブルに基づいて、予告演出４，５についてのみシナリオの抽選が行われ、その抽選では夫々演出抽選テーブルｙｏ４＿ＴＢＬ１，ｙｏ５＿ＴＢＬ１が用いられる。
【００６１】
　そして、
Ｓ１２で特定された演出抽選テーブルを用いて予告演出シナリオの抽選が行われ（Ｓ１３）、その抽選によって選択された予告演出シナリオを示す予告演出コマンドが液晶制御基板３３に送信される（Ｓ１４）
図１０（ａ）に示す演出抽選テーブルｙｏ１＿ＴＢＬ１では、変動パターン１の場合には予告演出なし、予告演出シナリオ１−１が夫々９０，１０％の選択率で選択され、変動パターン５の場合には予告演出なし、予告演出シナリオ１−１〜１−４が夫々１０，４０，１０，３０，１０％の選択率で選択される設定となっている。
（１−ｆ）「【００６９】
　
液晶制御手段７５は、液晶表示手段２１の表示制御を行うもの
（１−ｇ）「【０１４２】
　予告演出１は、図２０に示すように、演出図柄Ｅの変動表示中に例えば星を登場させる演出が挙げられる。具体的には、
図９、図１０に示す演出抽選テーブルｙｏ１＿ＴＢＬ１において例えば予告演出シナリオ１−１が選択された場合に、演出図柄Ｅの変動開始から４０００ミリ秒後（図１１参照）に図２０に示す態様での「星」の登場演出が開始される。なお、予告演出シナリオ１−２〜１−４は、予告演出シナリオ１−１に比べて、「星」の表示態様（例えば、登場する星の種類（大きさや色等）、登場位置、移動方向、移動速度等の少なくとも一つ）が異なるものなどが挙げられる。
（１−ｈ）「【０１８０】
　＜演出図柄変動表示（予告演出１及び４発生有りの変動表示）について＞
　次に、予告演出１（第１予告演出表示）及び予告演出４（第２予告演出表示）を含む演出図柄Ｅの変動表示について図２５を用いて説明する。なおここでは、図９（ａ）に示す抽選グループＡが選択され、演出図柄Ｅの変動パターンとして例えばリーチ外れ変動パターン（リーチ大当たり変動パターンであってもよい）において予告演出１及び４が表示される場合を例に挙げて説明する。
【０１８１】
　液晶制御手段７５は、変動パターンコマンド及び図柄指定コマンドに基づいて、その変動パターンコマンドで指定された変動パターン（ここではリーチ外れ変動パターン）で表示画面２１ａに演出図柄Ｅ（左図柄、中図柄及び右図柄）の変動表示を開始させ、左図柄及び右図柄が「３」の図柄で揃ったリーチ状態を表示させる。そして、
液晶制御手段７５は、予告演出１を示す予告演出コマンドに基づいて、その予告演出シナリオ（星が登場する演出）を表示させる（図２５（ａ）参照）。
【０１８２】
　
予告演出１は、前述した図２０と同様に、演出図柄Ｅの変動表示中に例えば星を登場させる演出である。ここでは図９（ａ）に示す抽選グループＡにおける演出抽選テーブルｙｏ１＿ＴＢＬ１において例えば予告演出シナリオ１−１が選択され、演出図柄Ｅの変動開始から４０００ミリ秒後（図１１参照）に「星」の登場演出が開始され、図２５（ａ）に示すように予告演出１の星画像Ｗ１が左図柄の右下角部上に停止表示される。
【０１８３】
　
予告演出４は、予告演出１よりも大当たり信頼度が高い予告演出であり、図２５（ｂ）に示すように演出図柄Ｅの変動表示中に例えば稲妻画像Ｗ４を登場させる演出としている。予告演出４は、演出図柄Ｅの変動開始から５０００ミリ秒後（図１１参照）に、稲妻画像Ｗ４が表示画面２１ａの上部から登場する演出が開始される。具体的には、図９（ａ）に示す抽選グループＡにおける演出抽選テーブルｙｏ４＿ＴＢＬ１において例えば予告演出シナリオ４−１（図示省略）が選択され、演出図柄Ｅの変動開始から５０００ミリ秒後（図１１参照）に予告演出４の「稲妻」の登場演出が開始され（図２５（ｂ）参照）、稲妻画像Ｗ４が左図柄の右下角部の方に向かって移動表示され、予告演出１の星画像Ｗ１上に予告演出４の稲妻画像Ｗ４が重なった状態で停止表示される（図２５（ｃ）参照）。
（１−ｉ）上記【００５６】，【００５８】〜【００６１】には，予告演出抽選手段６４ａによって，予告演出抽選処理が実行され，当該処理によって選択された予告演出シナリオを示す予告演出コマンドが液晶制御基板３３に送信されることが記載されている。
　そして，上記【０１８１】の記載，及び，図２の図示内容によれば，液晶制御基板３３に設けられた液晶制御手段７５は，予告演出１を示す予告演出コマンドに基づいて，その予告演出シナリオ（星が登場する演出）を表示させるものと認められる。そして，上記【００５９】の記載によれば，予告演出は，予告演出１以外にも予告演出２〜７の複数種類存在するものと認められる。
　よって，
予告演出抽選手段６４ａ及び液晶制御手段７５は，複数種類の予告演出を実行する
（１−ｊ）上記【００５９】には，予告演出は予告演出１〜７の７種類設けられていると記載されている。これより，
複数種類の予告演出は予告演出１と予告演出４を有する
（１−ｋ）上記【００２３】には，演出図柄Ｅは，第１，第２特別図柄の変動開始と同時に変動を開始すると共に、第１，第２特別図柄の変動停止と同時に最終停止することが記載されている。そして，上記【０１８２】には，予告演出１は，演出図柄Ｅの変動表示中に星を登場させる演出であることが記載されている。よって，
予告演出１が，第１，第２特別図柄の変動表示中において行われる
予告演出４が，第１，第２特別図柄の変動表示中において行われる
（１−ｌ）上記【００３７】には，大当たり判定乱数値が予め定められた大当たり判定値と一致するか否かに応じて大当たり／外れの判定を行い，当該判定結果に基づいて第１，第２特別図柄の変動後の停止図柄が選択されることが記載されている。
　また，上記【００３７】，【００５８】〜【００５９】の記載によれば，一つの大当たり／外れの判定結果に基づいて演出図柄Ｅの変動パターンを選択するとともに，当該変動パターンに基づいて抽選グループを選択し，当該抽選グループに対応する演出抽選テーブル選択テーブルに基づいて、複数種類の予告演出について、夫々その予告演出を実行するか否かを特定することが示されている。これより，刊行物１には，大当たり／外れの判定結果に基づいて夫々その予告演出を実行するか否かを特定していることが示されている。
　よって、刊行物１には，
大当たり／外れの判定結果に基づいて，第１，第２特別図柄の変動後の停止図柄と予告演出１，４を実行するか否かを特定する
（１−ｍ）上記【００５９】の記載，及び，図８〜１０の図示内容によれば，複数種類の予告演出について，抽選グループ毎に夫々シナリオの抽選を行うか否か（即ちその予告演出を実行するか否か，（図９）），及びシナリオの抽選を行う場合にはその抽選に対応した演出抽選テーブル（図１０）について特定されるから，演出抽選テーブルは予告演出毎に設けられていることが示されている。
　また，上記【００６１】，【０１４２】の記載，及び，図１０の図示内容によれば，予告演出１に対応する演出抽選テーブルｙｏ１＿ＴＢＬ１には，予告演出シナリオ１−１と，予告演出シナリオ１−１に比べて「星」の表示態様が異なる予告演出シナリオ１−２〜１−４が設定されている。
　これより，刊行物１には，
予告演出１は，予告演出シナリオ１−１〜１−４から選択される予告演出である
　更に，上記【０１８３】には，演出抽選テーブルｙｏ４＿ＴＢＬ１は予告演出４に対応することが示されている。そして，図１０（ｂ）には，演出抽選テーブルｙｏ４＿ＴＢＬ１が示されており，当該演出抽選テーブルｙｏ４＿ＴＢＬ１には，予告演出シナリオ４−１〜４−４が設定されている。
　これより、刊行物１には，
予告演出４は，予告演出シナリオ４−１〜４−４から選択される予告演出である
（１−ｎ）上記【０１８１】には，液晶制御手段７５は，予告演出１を示す予告演出コマンドに基づいて，星が登場する演出を表示させることが記載されている。また，上記【０１８２】には，予告演出１は星画像Ｗ１を表示させる演出であることが記載され，上記【０１８３】には，予告演出４は稲妻画像Ｗ４を表示させる演出であることが記載されている。このことから，液晶制御手段７５は，予告演出１を示す予告演出コマンドに基づいて星画像Ｗ１を表示させ，予告演出４を示す予告演出コマンドに基づいて稲妻画像Ｗ４を表示させることは明らかである。
　また，上記【００６９】には，液晶制御手段７５は、液晶表示手段２１の表示制御を行うことが記載されているから，液晶制御手段７５により表示される予告演出が，液晶表示手段２１に表示されるといえる。
　これより，刊行物１には，
液晶制御手段７５が，予告演出１を示す予告演出コマンドに基づいて液晶表示手段２１に星画像Ｗ１を表示させる手段であること，及び，予告演出４を示す予告演出コマンドに基づいて液晶表示手段２１に稲妻画像Ｗ４を表示させる手段であること
　上記（１−ａ）〜（１−ｈ）の記載事項，及び，（１−ｉ）〜（１−ｎ）の認定事項を総合すると，刊行物１には次の発明（以下，「刊行物１発明」という。）が記載されていると認められる。
「第１，第２特別図柄を変動表示可能な第１，第２特別図柄表示手段２３ａ，２３ｂと，
　複数種類の予告演出を実行する予告演出抽選手段６４ａ及び液晶制御手段７５と，
　液晶表示手段２１と，
　を備えた遊技機であって，
　前記複数種類の予告演出は予告演出１と予告演出４を有し，
　予告演出１，４は第１，第２特別図柄の変動表示中において行われ，
　大当たり／外れの判定結果に基づいて，第１，第２特別図柄の変動後の停止図柄と予告演出１，４を実行するか否かを特定しており，
　前記予告演出１は，予告演出シナリオ１−１〜１−４から選択される予告演出であり，
　前記予告演出４は，予告演出シナリオ４−１〜４−４から選択される予告演出であり，
　前記液晶制御手段７５は，前記予告演出１を示す予告演出コマンドに基づいて前記液晶表示手段２１に星画像Ｗ１を表示させる手段であり，
　前記液晶制御手段７５は，前記予告演出４を示す予告演出コマンドに基づいて前記液晶表示手段２１に稲妻画像Ｗ４を表示させる手段であり，
　前記予告演出シナリオ１−１が選択されると，前記星画像Ｗ１が表示され，前記予告演出シナリオ４−１が選択されると、前記稲妻画像Ｗ４が左図柄の右下角部の方に向かって移動表示され、星画像Ｗ１上に稲妻画像Ｗ４が重なった状態で停止表示されるものである
　遊技機。」
（２）刊行物２に記載された発明
　原査定の拒絶の理由に引用された本願の出願日前に頒布された刊行物である，特開２０１２−２４２６８号公報（以下，「刊行物２」という。）には，図面とともに次の事項が記載されている。
（２−ａ）「【００９７】
　そして、本実施形態では、
図柄変動ゲームが大当りになる可能性を示唆する予告演出を、１回の図柄変動ゲームにおいて複数回実行するようになっている。また、本実施形態では、実行される予告演出の演出系統によって、大当りへの期待感を異ならせている。
パチンコ遊技機１０
・・・
【０１００】
　そして、実行態様番号を決定した統括ＣＰＵ３１ａは、決定した実行態様番号をＲＡＭ３１ｃに記憶させる。また、実行態様番号を決定した統括ＣＰＵ３１ａは、図９に示す予告演出実行態様テーブルＹＪＴを参照して、決定した実行態様番号から予告演出の実行態様を決定する。
予告演出の実行態様とは、１回の図柄変動ゲームで縦縞模様及び横縞模様の演出系統の予告演出を実行するか否か、及び縦縞模様の演出系統の予告演出を何回実行するかを定めたものであり、１回の図柄変動ゲーム全体における予告演出の出現態様を定めたものである
（２−ｂ）「【０１０７】
　例えば、予告演出の実行態様として「縦縞模様×３」を決定した場合、統括ＣＰＵ３１ａは、「リーチ演出開始前」、「リーチ演出開始時」、及び「特定時間（リーチ演出の途中）」に縦縞模様の演出系統の予告演出を実行することを５％の確率で決定する。また、予告演出の実行態様として「縦縞模様×３」を決定した場合、統括ＣＰＵ３１ａは、「リーチ演出開始前」、「リーチ演出開始時」、及び「リーチ演出終了直前」に縦縞模様の演出系統の予告演出を実行することを１５％の確率で決定する。また、予告演出の実行態様として「縦縞模様×３」を決定した場合、統括ＣＰＵ３１ａは、「リーチ演出開始前」、「特定時間（リーチ演出の途中）」、及び「リーチ演出終了直前」に縦縞模様の演出系統の予告演出を実行することを３０％の確率で決定する。また、
予告演出の実行態様として「縦縞模様×３」を決定した場合、統括ＣＰＵ３１ａは、「リーチ演出開始時」、「特定時間（リーチ演出の途中）」、及び「リーチ演出終了直前」に縦縞模様の演出系統の予告演出を実行する
（２−ｃ）「【０１０８】
　このように、
大当りを示唆する予告演出は、「リーチ演出開始前」、「リーチ演出開始時」、「特定時間（リーチ演出の途中）」、「リーチ演出終了直前」に実行される。
（２−ｄ）「【０１２５】
　次に、「リーチ演出開始時」の実行時点における予告演出について説明する。
　「リーチ演出開始時」の実行時点において予告演出を実行する場合、可変表示器Ｈ２では、リーチの図柄組み合わせが一旦停止表示されたときに、所定のロゴ（本実施形態では、「リーチ」）を表示させる予告演出を実行する。以下、
本実施形態おける「リーチ演出開始時の予告演出」を「ロゴ予告演出」と示す。
【０１２６】
　本実施形態では、ロゴ予告演出において可変表示器Ｈ２で表示されるロゴの表示態様は、複数種類あり、実行させる演出系統によってロゴの表示態様は異なる。具体的には、青色の演出系統のロゴ予告演出を実行する場合、ロゴの色が青色となるロゴ予告演出を実行する。また、赤色の演出系統のロゴ予告演出を実行する場合、ロゴの色が赤色となるロゴ予告演出を実行する。また、
縦縞模様の演出系統のロゴ予告演出を実行する場合、ロゴの模様が縦縞模様となるロゴ予告演出を実行する。また、横縞模様の演出系統のロゴ予告演出を実行する場合、ロゴの模様が横縞模様となるロゴ予告演出を実行する。なお、各演出系統に基づく大当りへの期待度は、セリフ予告演出と同じである（青色＜赤色＜縦縞模様＜横縞模様）。」
（２−ｅ）「【０１３０】
　次に、「特定時間（リーチ演出の途中）」の実行時点における予告演出について説明する。
　「リーチ演出が開始してから所定時間（１０秒）経過後の特定時間（リーチ演出の途中）」の実行時点において予告演出を実行する場合、可変表示器Ｈ２では、服を着たキャラクタを表示させる予告演出を実行する。以下、
本実施形態おける「特定時間の予告演出」を「キャラクタ予告演出」と示す。
【０１３１】
　本実施形態では、キャラクタ予告演出において可変表示器Ｈ２で表示されるキャラクタの表示態様は、複数種類あり、実行させる演出系統によってキャラクタの表示態様は異なる。具体的には、青色の演出系統のキャラクタ予告演出を実行する場合、キャラクタが着る服の色が青色となるキャラクタ予告演出を実行する。また、赤色の演出系統のキャラクタ予告演出を実行する場合、キャラクタが着る服の色が赤色となるキャラクタ予告演出を実行する。
また、縦縞模様の演出系統のキャラクタ予告演出を実行する場合、キャラクタが着る服の模様が縦縞模様となるキャラクタ予告演出を実行する。また、横縞模様の演出系統のキャラクタ予告演出を実行する場合、キャラクタが着る服の模様が横縞模様となるキャラクタ予告演出を実行する。なお、各演出系統に基づく大当りへの期待度は、セリフ予告演出やロゴ予告演出と同じである（青色＜赤色＜縦縞模様＜横縞模様）。
（２−ｆ）上記【０１２６】には，ロゴ予告演出において，演出系統に基づく大当りへの期待度は「縦縞模様＜横縞模様」であることが記載されている。
　これより，刊行物２には，
大当りへの期待度は縦縞模様の演出系統のロゴ予告演出より横縞模様の演出系統のロゴ予告演出の方が大きい
（２−ｇ）上記【０１３１】には，キャラクタ予告演出において，演出系統に基づく大当りへの期待度は「縦縞模様＜横縞模様」であることが記載されている。
　これより，刊行物２には，
大当りへの期待度は縦縞模様の演出系統のキャラクタ予告演出より横縞模様の演出系統のキャラクタ予告演出の方が大きい
（２−ｈ）上記【０１００】には，１回の図柄変動ゲームで縦縞模様及び横縞模様の演出系統の予告演出を実行するか否か、及び縦縞模様の演出系統の予告演出を何回実行するかを定めた予告演出の実行態様を決定すること，さらに，上記【０１０７】には，予告演出の実行態様として，「リーチ演出開始時」、「特定時間（リーチ演出の途中）」、及び「リーチ演出終了直前」に縦縞模様の演出系統の予告演出を決定することが記載されている。
　そして，上記【０１２５】には，「リーチ演出開始時の予告演出」は「ロゴ予告演出」であり，上記【０１３０】には，「特定時間の予告演出」は「キャラクタ予告演出」であることが記載されている。
　このことから，刊行物２には，
１回の図柄変動ゲームで縦縞模様の演出系統のロゴ演出と縦縞模様の演出系統のキャラクタ予告演出とを行う
　上記（２−ａ）〜（２−ｅ）の記載事項，及び，（２−ｆ）〜（２−ｈ）の認定事項を総合すると，刊行物２には次の技術事項（以下，「刊行物２に記載された技術事項」という。）が記載されていると認められる。
「大当りを示唆する予告演出として，ロゴ予告演出，キャラクタ予告演出が実行され，
　ロゴ予告演出には，縦縞模様及び横縞模様の演出系統のロゴ予告演出があり，
　キャラクタ予告演出には，縦縞模様及び横縞模様の演出系統のキャラクタ予告演出があり，
　縦縞模様の演出系統のロゴ予告演出を実行する場合、ロゴの模様が縦縞模様となるロゴ予告演出を実行し，
　横縞模様の演出系統のロゴ予告演出を実行する場合、ロゴの模様が横縞模様となるロゴ予告演出を実行し，
　大当りへの期待度は縦縞模様の演出系統のロゴ予告演出より横縞模様の演出系統のロゴ予告演出の方が大きく，
　縦縞模様の演出系統のキャラクタ予告演出を実行する場合、キャラクタが着る服の模様が縦縞模様となるキャラクタ予告演出を実行し，
　横縞模様の演出系統のキャラクタ予告演出を実行する場合、キャラクタが着る服の模様が横縞模様となるキャラクタ予告演出を実行し，
　大当りへの期待度は縦縞模様の演出系統のキャラクタ予告演出より横縞模様の演出系統のキャラクタ予告演出の方が大きく，
　１回の図柄変動ゲームで縦縞模様の演出系統のロゴ演出と縦縞模様の演出系統のキャラクタ予告演出とを行う，
　パチンコ遊技機。」
（３）刊行物３に記載された発明
　本願の出願の日前に頒布された刊行物である，特許第５４２６７４７号公報（以下，「刊行物３」という。）には，図面とともに次の事項が記載されている。
（３−ａ）「【０００１】
　本発明は、回胴遊技機（スロットマシン）や弾球遊技機（パチンコ機）などに代表される遊技台に関する。」
（３−ｂ）「【０２７０】
　＜操作手段画像表示の実施例９＞
　次に、図３０を用いて、上述の操作手段画像表示処理によって行われる操作手段画像表示の実施例９について説明する。なお、同図は、実施例９の操作手段画像表示を時系列に示した図である。本実施例では、操作手段画像表示に加えて、保留アイコンおよび変動アイコンの表示を行うように構成している。
・・・
【０２７６】
　同図（ｂ）は保留された特図変動遊技を開始し、特図変動遊技の保留が４から３に減少したタイミングを示している。このタイミングでは、保留アイコンの表示領域に表示されている最先（１番目）の保留アイコンＰＩ１を変動アイコンＣＩに変化させる変化アニメーションを行った後に、
装飾図柄表示装置２０８の中央表示領域に変動アイコンＣＩを停止表示している。なお、変動アイコンＣＩは、最先の保留アイコンＰＩ１に対応する当該特図変動表示の当否結果を示唆するための変動アイコン
・・・
【０２８１】
　同図（ｆ）は、同図（ｃ）に示す状態、すなわち、チャンスボタン１３６の操作の受付期間の開始タイミングから所定時間（６秒）が経過する前の状態において、チャンスボタン１３６の操作が行われたタイミングを示している。
このタイミングでは、チャンスボタン１３６の操作が行われたことから、第１の操作手段画像ＢＧ１と第１の経過時間報知画像ＴＧ１を消去した後に、当該特図変動の当否結果を示唆する情報（この例では、「リーチじゃ！」という文字情報）を変動アイコンＣＩの後方に表示している。すなわち、この例では、当該特図変動の当否結果を示唆する情報の一部が変動アイコンＣＩによって覆われることにより、当該情報の一部が視認不能または視認困難な状態とされている。
・・・
【０２８４】
　実施例９の操作手段画像表示によれば、遊技者に操作手段の操作をより促すことができる場合がある。また、遊技者に隠されている表示態様を注目させ、遊技へ集中させることができる場合がある。」
（３−ｃ）上記【０２７６】，【０２８１】の記載，及び，図３０（ａ）〜（ｆ）の図示内容によれば，「変動アイコンＣＩ」と「「リーチじゃ！」という文字情報」は，特図変動遊技を開始（図３０（ｂ））した後，当該図柄変動遊技中に表示されている（図３０（ｆ））ことは明らかである。
　これより，刊行物３には，
同じ特図変動遊技において，特図変動表示の当否結果を示唆する変動アイコンＣＩと「リーチじゃ！」という文字情報を同時に表示する
　上記（３−ａ）〜（３−ｂ）の記載事項，及び，（３−ｃ）の認定事項を総合すると，刊行物３には次の技術事項（以下，「刊行物３に記載された技術事項」という。）が記載されていると認められる。
「同じ特図変動遊技において，特図変動表示の当否結果を示唆する変動アイコンＣＩと「リーチじゃ！」という文字情報を同時に表示し，
　装飾図柄表示装置２０８の中央表示領域に特図変動表示の当否結果を示唆する変動アイコンＣＩを停止表示し，
　当該特図変動の当否結果を示唆する、「リーチじゃ！」という文字情報を変動アイコンＣＩの後方に表示し，当該情報の一部が視認不能または視認困難な状態とされている，
　遊技台。」
（４）対比
　本願補正発明と，刊行物１発明とを対比する。
（ａ）刊行物１発明の「第１，第２特別図柄表示手段２３ａ，２３ｂ」，「予告演出抽選手段６４ａ及び液晶制御手段７５」，「液晶表示手段２１」，「遊技機」は，本願補正発明における「図柄表示手段」，「予告手段」，「表示手段」，「遊技台」にそれぞれ相当する。
　よって，刊行物１発明の「第１，第２特別図柄を変動表示可能な第１，第２特別図柄表示手段２３ａ，２３ｂと，複数種類の予告演出を表示させる予告演出抽選手段６４ａ及び液晶制御手段７５と，液晶表示手段２１と，を備えた遊技機」は，本願補正発明の「図柄変動表示を実行可能な図柄表示手段と、複数種類の予告を実行可能な予告手段と、表示手段と、を備えた遊技台」に相当する。
（ｂ）刊行物１発明の「予告演出１」，「予告演出４」は，本願補正発明における「第一の種類の予告」，「第二の種類の予告」にそれぞれ相当する。
　よって，刊行物１発明の「前記複数種類の予告演出は予告演出１と予告演出４を有し」との構成は，本願補正発明の「前記複数種類の予告のうちの少なくとも一つは、第一の種類の予告であり、前記複数種類の予告のうちの前記第一の種類の予告とは別の少なくとも一つは、第二の種類の予告であり」との構成に相当する。
（ｃ）刊行物１発明において，第１，第２特別図柄の変動後の停止図柄と予告演出１，４を実行するか否かは，ともに大当たり／外れの判定結果に基づいて決定されているから，予告演出１，４は，第１，第２特別図柄の変動後の停止図柄に関連する予告であるといえる。
　よって，刊行物１発明の「予告演出１，４は第１，第２特別図柄の変動表示中において行われ，大当たり／外れの判定結果に基づいて，第１，第２特別図柄の変動後の停止図柄と予告演出１，４を実行するか否かを特定して」いる構成は，本願補正発明の「前記第一の種類の予告は、前記図柄変動表示の実行中において、該図柄変動表示に関連する予告であり、前記第二の種類の予告は、前記図柄変動表示の実行中において、該図柄変動表示に関連する予告」であるとの構成に相当する。
（ｄ）刊行物１発明における「予告演出１」は，「予告演出シナリオ１−１〜１−４」という複数の予告から選択される予告演出であり，本願補正発明における「第一の種類の予告」も，「第一の予告」及び「第三の予告」という複数の予告を含むものである。
　したがって，本願補正発明における「第一の種類の予告」と，刊行物１発明における「予告演出１」とは，複数の予告を含む点で共通する。
　また，刊行物１発明における「予告演出４」は，「予告演出シナリオ４−１〜４−４」という複数の予告から選択される予告演出であり，本願補正発明における「第二の種類の予告」も，「第二の予告」及び「第四の予告」という複数の予告を含むものである。
　したがって，本願補正発明における「第二の種類の予告」と，刊行物１発明における「予告演出４」とは，複数の予告を含む点で共通する。
　よって，刊行物１発明の「前記予告演出１は，予告演出シナリオ１−１〜１−４から選択される予告演出であり，前記予告演出４は，予告演出シナリオ４−１〜４−４から選択される予告演出」であるとの構成と，本願補正発明の「前記第一の種類の予告は、第一の予告と第三の予告を含む予告であり、前記第二の種類の予告は、第二の予告と第四の予告を含む予告で」あるとの構成とは，第一の種類の予告は、複数の予告を含む予告であり、前記第二の種類の予告は、複数の予告を含む予告であるという点で共通する。
（ｅ）刊行物１発明における「予告演出１」は液晶表示手段２１に「星画像Ｗ１」を表示させることにより予告を行っており，本願補正発明における「第一の予告」及び「第三の予告」とを含む「第一の種類の予告」は，同じ形である「第一の表示」と「第三の表示」を表示させることにより予告を行っている。
　したがって，本願補正発明における「第一の予告」と「第三の予告」とを含む「第一の種類の予告」と，刊行物１発明における「予告演出１」とは，同じ形を表示させることにより実行される予告であるという点で共通する。
　よって，刊行物１発明の「前記液晶制御手段７５は，前記予告演出１を示す予告演出コマンドに基づいて前記液晶表示手段２１に星画像Ｗ１を表示させる手段であり」との構成と，本願補正発明の「前記予告手段は、前記表示手段に第一の表示を表示させることにより前記第一の予告を実行する手段であり、前記予告手段は、前記表示手段に第三の表示を表示させることにより前記第三の予告を実行する手段」であり，「前記第三の表示は、前記第一の表示と同じ形の表示」であるという構成とは，予告手段は、表示手段に同じ形を表示させることにより第一の種類の予告を実行する手段であるという点で共通する。
（ｆ）刊行物１発明における「予告演出４」は液晶表示手段２１に「稲妻画像Ｗ４」を表示させることにより予告を行っており，本願補正発明における「第二の予告」及び「第四の予告」とを含む「第二の種類の予告」は，同じ形である「第二の表示」と「第四の表示」を表示させることにより予告を行っている。
　したがって，本願補正発明における「第二の予告」と「第四の予告」とを含む「第二の種類の予告」と，刊行物１発明における「予告演出４」とは，同じ形を表示させることにより実行される予告であるという点で共通する。
　よって，刊行物１発明の「前記液晶制御手段７５は，前記予告演出４を示す予告演出コマンドに基づいて前記液晶表示手段２１に稲妻画像Ｗ４を表示させる手段であり」との構成と，本願補正発明の「前記予告手段は、前記表示手段に第二の表示を表示させることにより前記第二の予告を実行する手段であり、前記予告手段は、前記表示手段に第四の表示を表示させることにより前記第四の予告を実行する手段」であり，「前記第四の表示は、前記第二の表示と同じ形の表示」であるとの構成は，予告手段は、表示手段に同じ形を表示させることにより第二の種類の予告を実行する手段であるという点で共通する。
（ｇ）刊行物１発明は，予告演出シナリオ１−１と予告演出シナリオ４−１が選択されると，星画像Ｗ１が表示された後，前記稲妻画像Ｗ４が左図柄の右下角部の方に向かって移動表示され、星画像Ｗ１上に稲妻画像Ｗ４が重なった状態で停止表示されるから，星画像Ｗ１と稲妻画像Ｗ４は同時に表示される期間があるといえる。また，予告演出シナリオ１−１は予告演出１の１つであり，予告演出シナリオ４−１は予告演出４の１つであるから，予告演出１と予告演出４は，少なくとも一部の期間が重なって行われているといえる。
　よって，刊行物１発明における「前記予告演出シナリオ１−１が選択されると，前記星画像Ｗ１が表示され，前記予告演出シナリオ４−１が選択されると、前記稲妻画像Ｗ４が左図柄の右下角部の方に向かって移動表示され、星画像Ｗ１上に稲妻画像Ｗ４が重なった状態で停止表示されるものである」との構成と，本願補正発明における「前記第三の予告と前記第四の予告は、少なくとも一部の期間が重なって行われる場合（以下、「第一の場合」という。）があり、前記第四の予告は、前記第一の場合において前記第三の予告の少なくとも一部に重なって表示される予告である」との構成は，第一の種類の予告と第二の種類の予告は、少なくとも一部の期間が重なって行われる場合があるとの点で共通する。
　したがって，本願補正発明と刊行物１発明とは
「図柄変動表示を実行可能な図柄表示手段と、
　複数種類の予告を実行可能な予告手段と、
　表示手段と、
を備えた遊技台であって、
　前記複数種類の予告のうちの一つは、第一の種類の予告であり、
　前記複数種類の予告のうちの一つは、第二の種類の予告であり、
　前記第一の種類の予告は、前記図柄変動表示の実行中において、該図柄変動表示に関連する予告であり、
　前記第二の種類の予告は、前記図柄変動表示の実行中において、該図柄変動表示に関連する予告であり、
　前記第一の種類の予告は、複数の予告を含む予告であり、
　前記第二の種類の予告は、複数の予告を含む予告であり、
　前記予告手段は、前記表示手段に同じ形を表示させることにより前記第一の種類の予告を実行する手段であり、
　前記予告手段は、前記表示手段に同じ形を表示させることにより前記第二の種類の予告を実行する手段であり、
　前記第一の種類の予告と前記第二の種類の予告は、少なくとも一部の期間が重なって行われる場合がある、
遊技台。」
という点で一致し，以下の点で相違する。
［相違点１］
　「第一の種類の予告」と「第二の種類の予告」について，本願補正発明の「第一の種類の予告」が「第一の予告」と「第三の予告」とを含み，「第一の予告」が「第三の予告」より有利な結果に結びつきやすいものであり，「第二の種類の予告」が「第二の予告」と「第四の予告」とを含み，「第二の予告」が「第四の予告」より有利な結果に結びつきやすいものであるのに対し，刊行物１発明が，予告演出シナリオ１−１〜１−４，４−１〜４−４と有利な結果との関係が不明である点。
［相違点２］
　「第一の種類の予告」と「第二の種類の予告」が相違点１の点で異なることに加えて，本願補正発明が「第一の種類の予告」が「第一の予告」と「第三の予告」とを含み，「第二の種類の予告」が「第二の予告」と「第四の予告」とを含み，「（第三の予告を実行する際に表示される）前記第三の表示における少なくとも一部（以下、「第一の領域」という。）の模様（以下、「第一の模様」という。）は、（第一の予告を実行する際に表示される）前記第一の表示における前記第一の領域に対応する領域の模様と異なる模様であり」，「（第四の予告を実行する際に表示される）前記第四の表示における少なくとも一部（以下、「第二の領域」という。）の模様（以下、「第二の模様」という。）は、（第二の予告を実行する際に表示される）前記第二の表示における前記第二の領域に対応する領域の模様と異なる模様で」あるのに対し，刊行物１発明がその様な構成を有するか否か不明である点。
［相違点３］
　「第一の種類の予告」と「第二の種類の予告」が相違点１，２の点で異なることに加えて，本願補正発明が「第一の種類の予告」が「第一の予告」と「第三の予告」とを含み，「第二の種類の予告」が「第二の予告」と「第四の予告」とを含み，「（第四の予告を実行する際に表示される）前記第四の表示における前記第二の模様は、（第三の予告を実行する際に表示される）前記第三の表示における前記第一の模様と同じ模様」であるのに対し，刊行物１発明がその様な構成を有するか否か不明である点。
［相違点４］
　「第一の種類の予告」と「第二の種類の予告」が相違点１−３の点で異なることに加えて，本願補正発明が「第一の種類の予告」が「第一の予告」と「第三の予告」とを含み，「第二の種類の予告」が「第二の予告」と「第四の予告」とを含み，前記第三の予告と前記第四の予告は、少なくとも一部の期間が重なって行われる場合があるのに対し，刊行物１発明は，その様な構成を有するか否か不明である点。
［相違点５］
　本願補正発明が「前記第四の予告は、前記第一の場合において前記第三の予告の少なくとも一部に重なって表示される予告である」のに対し，刊行物１発明は，予告演出４の稲妻画像Ｗ４は，同時に表示される期間の一部において，予告演出１の星画像Ｗ１に重なった状態で表示されるものであるが，期間の全体において重なった状態で表示されるものではない点。
（５）当審の判断
（ア）相違点１〜４について
　上記相違点１〜４は，技術的に関連するので，まとめて検討する。
　上記（２）に示したとおり，刊行物２には，ロゴの模様が縦縞模様となるものと横縞模様となるものが存在し，それぞれの模様により大当りへの期待度が異なる「ロゴ予告演出」と，キャラクタが着る服の模様が縦縞模様となるものと横縞模様となるものが存在し，それぞれの模様により大当りへの期待度が異なる「キャラクタ予告演出」が記載されている。また，「ロゴ予告演出」と「キャラクタ予告演出」は，１回の図柄変動ゲームでその両方が実行され，その際の両者の模様を同じ縦縞模様とするものである。
　そして，刊行物１発明における予告演出１は，「予告演出シナリオ１−１〜１−４」を含むものであり，予告演出４は，「予告演出シナリオ４−１〜４−４」を含むものであり，上記（１）（１−ｇ）によれば，予告演出シナリオ１−２〜１−４は、予告演出シナリオ１−１に比べて、「星」の表示態様として，例えば、登場する星の色が異なることが示唆されている。
　これより，刊行物１発明と刊行物２に記載された技術事項とは，一の種類の予告に複数の異なる表示態様のものが存在するという予告を行うという点で共通する。
　さらに，刊行物１発明における予告演出１の星画像Ｗ１と予告演出４の稲妻画像Ｗ４は，１回の変動表示において表示されるものである。
　これより，刊行物１発明と刊行物２に記載された技術事項とは，１回の変動表示において複数の予告を行うという点でも共通する。
　したがって，刊行物１発明における「予告演出１」として，刊行物２に記載された技術事項である，横縞模様（「第一の模様」に対応する。）となるもの（「第一の予告」及び「第一の表示」に対応する。）と縦縞模様（「第三の模様」に対応する。）となるもの（「第三の予告」及び「第三の表示」に対応する。）が存在する，「ロゴ予告演出」（「第一の種類の予告」に対応する。）を採用し，刊行物１発明における「予告演出４」として，刊行物２に記載された事項である，横縞模様（「第二の模様」に対応する。）となるもの（「第二の予告」及び「第二の表示」に対応する。）と縦縞模様（「第四の模様」に対応する。）となるもの（「第四の予告」及び「第四の表示」に対応する。）が存在する，「キャラクタ予告演出」（「第二の種類の予告」に対応する。）を採用し，上記相違点１〜３に係る本願補正発明の構成とすることは，当業者が容易に想到し得たものである。
　また，上記（４）（ｇ）に示したように，刊行物１発明において，予告演出１と予告演出４は，少なくとも一部の期間が重なって行われているといえるから，刊行物１発明に刊行物２に記載された技術事項を採用するに当たって，それに倣い，縦縞模様のロゴ予告演出（「第三の予告」に対応する。）と縦縞模様のキャラクタ予告演出（「第四の予告」に対応する。）とを，少なくとも一部の期間が重なって行うように構成し，上記相違点４に係る本願補正発明の構成とすることは，当業者が容易に想到し得たものである。
　しかも，上記相違点によって本願補正発明が奏する効果は，刊行物１発明及び刊行物２に記載された技術事項から予測しうる程度のものであって，格別のものではない。
（イ）相違点５について
　請求人は，請求の理由において，本願補正発明は、刊行物１，２には記載や示唆の無い「前記第三の予告と前記第四の予告は、少なくとも一部の期間が重なって行われる場合（以下、「第一の場合」という。）があり、前記第四の予告は、前記第一の場合において前記第三の予告の少なくとも一部に重なって表示される予告である」という構成を備えるため、「第四の予告は、第三の予告の少なくとも一部に重なって表示される場合があるため、第四の予告によって隠される第三の予告に遊技者の注目を集めることで、遊技者の遊技意欲を高めることができる場合がある」といった刊行物１発明及び刊行物２に記載された技術事項からは得ることができない顕著な効果を有する旨主張する。
　ここで，上記（３）に示したとおり，刊行物３には，同じ特図変動遊技において，特図変動表示の当否結果を示唆する変動アイコンＣＩと「リーチじゃ！」という文字情報を同時に表示するとともに，「リーチじゃ！」という文字情報を，既に表示されている変動アイコンＣＩの後方に表示することで，当該情報の一部が視認不能または視認困難な状態とし，これにより上記（３−ｂ）の【０２８４】に記載されたように，「遊技者に隠されている表示態様を注目させ、遊技へ集中させることができる」という効果を奏する点が記載されている。
　そして，刊行物１発明における星画像Ｗ１と稲妻画像Ｗ４は，１回の変動表示において同時に表示されるものであるから，刊行物１発明と刊行物３に記載された技術事項とは，１回の変動表示において複数の予告を同時に表示するという点で共通する。
　よって，刊行物１発明の予告演出１（予告演出シナリオ１−１）で表示される星画像Ｗ１と予告演出４（予告演出シナリオ４−１）で表示される稲妻画像Ｗ４の表示について，刊行物３に記載された技術事項を適用し，既に表示されている星画像Ｗ１の後方に稲妻画像Ｗ４を表示させるように構成することで，上記相違点５に係る本願補正発明の構成とすることは，当業者が容易に想到し得たものである。
　また，請求人が主張する効果は，刊行物１発明及び刊行物３に記載された技術事項から予測しうる程度のものであって，格別のものではないから，上記出願人の主張は採用できない。
（ウ）刊行物２，３に記載された技術事項の刊行物１発明への適用の可否
　上記（ア）に示したとおり，刊行物１発明に適用しようとする刊行物２に記載された技術事項は，予告において表示される画像の模様と，予告における大当りへの期待度についての事項である。また，上記（イ）に示したとおり，刊行物１発明に適用しようとする刊行物３に記載された技術事項は，予告において表示される画像の位置関係についての事項である。
　そして，これらの技術事項は相互に独立した事項であって，他の事項に影響を与えるものではないから，刊行物１発明にこれらの技術事項を併せて適用することに困難性はない。
　よって，刊行物１発明に刊行物２，３に記載された技術事項を適用することは，当業者にとって容易であるといえる。
（６）小括
　したがって，本願補正発明は，刊行物１発明に，刊行物２及び刊行物３に記載された技術事項を適用して，上記相違点１ないし５に係る本願補正発明の構成とすることにより，当業者が容易に想到することができたものであるから，特許法第２９条第２項の規定により，特許出願の際独立して特許を受けることができない。
４　まとめ
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明について
１　本願発明
　本件補正は，上記のとおり却下されたので，本願の請求項１〜７に係る発明は，平成２７年３月１７日付け手続補正書により補正された特許請求の範囲の請求項１〜７に記載されたとおりのものであるところ，その請求項１に係る発明（以下，「本願発明」という。）は，次に特定されるとおりのものである。
「【請求項１】
　図柄変動表示を実行可能な図柄表示手段と、
　複数種類の予告を実行可能な予告手段と、
　表示手段と、
を備えた遊技台であって、
　前記複数種類の予告のうちの少なくとも一つは、第一の種類の予告であり、
　前記複数種類の予告のうちの前記第一の種類の予告とは別の少なくとも一つは、第二の種類の予告であり、
　前記第一の種類の予告は、前記図柄変動表示の実行中において、該図柄変動表示に関連する予告であり、
　前記第二の種類の予告は、前記図柄変動表示の実行中において、該図柄変動表示に関連する予告であり、
　前記第一の種類の予告は、第一の予告と第三の予告を含む予告であり、
　前記第二の種類の予告は、第二の予告と第四の予告を含む予告であり、
　前記予告手段は、前記表示手段に第一の表示を表示させることにより前記第一の予告を実行可能な手段であり、
　前記予告手段は、前記表示手段に第三の表示を表示させることにより前記第三の予告を実行可能な手段であり、
　前記予告手段は、前記表示手段に第二の表示を表示させることにより前記第二の予告を実行可能な手段であり、
　前記予告手段は、前記表示手段に第四の表示を表示させることにより前記第四の予告を実行可能な手段であり、
　前記第三の表示は、前記第一の表示と同じ形の表示であり、
　前記第三の表示における少なくとも一部（以下、「第一の領域」という。）の模様（以下、「第一の模様」という。）は、前記第一の表示における前記第一の領域に対応する領域の模様と異なる模様であり、
　前記第四の表示は、前記第二の表示と同じ形の表示であり、
　前記第四の表示における少なくとも一部（以下、「第二の領域」という。）の模様（以下、「第二の模様」という。）は、前記第二の表示における前記第二の領域に対応する領域の模様と異なる模様であり、
　前記第二の模様は、前記第一の模様と同じ模様であり、
　前記予告手段は、一回の前記図柄変動表示の実行中において、前記第三の予告と前記第四の予告の両方の予告を実行可能な手段であり、
　前記第一の種類の予告は、前記第二の種類の予告によって少なくとも一部が隠される場合がある予告である、
ことを特徴とする遊技台。」
２　刊行物１及び２の記載について
　原査定の拒絶の理由に引用された刊行物１発明及び刊行物２に記載された技術事項は，上記第２の３（１）及び（２）に記載したとおりである。
３　対比・判断
　本願発明は，上記第２で検討した本願補正発明から，実質的に記載内容に変更のない点を除き，「前記第一の予告が行われる場合よりも前記第三の予告が行われる場合の方が遊技者にとって有利な結果に結びつきやすい」との点，及び，「前記第二の予告が行われる場合よりも前記第四の予告が行われる場合の方が遊技者にとって有利な結果に結びつきやすい」の点を削除し，「前記第三の予告と前記第四の予告は、少なくとも一部の期間が重なって行われる場合（以下、「第一の場合」という。）があり、前記第四の予告は、前記第一の場合において前記第三の予告の少なくとも一部に重なって表示される予告である」点を，「前記予告手段は、一回の前記図柄変動表示の実行中において、前記第三の予告と前記第四の予告の両方の予告を実行可能な手段であり、前記第一の種類の予告は、前記第二の種類の予告によって少なくとも一部が隠される場合がある予告である」としたものである。
　本願発明と，刊行物１発明とを対比すると，上記第２の３（４）（ａ）〜（ｆ）に記載したとおり，刊行物１発明の「第１，第２特別図柄表示手段２３ａ，２３ｂ」，「予告演出抽選手段６４ａ及び液晶制御手段７５」，「液晶表示手段２１」，「遊技機」が，本願発明の「図柄表示手段」，「予告手段」，「表示手段」，「遊技台」にそれぞれ相当し，本願発明における「第一の種類の予告」，「第二の種類の予告」と，刊行物１発明における「予告演出１」，「予告演出４」とは，複数の予告を含む点で共通し，本願発明における，「第一の種類の予告」，「第二の種類の予告」と，刊行物１発明における「予告演出１」，「予告演出４」とは，同じ形を表示させることにより実行される予告であるという点で共通する。
　また，刊行物１発明は，「予告演出シナリオ１−１の星画像Ｗ１と予告演出シナリオ４−１の稲妻画像Ｗ４は，同時に表示される期間があり，予告演出シナリオ４−１の稲妻画像Ｗ４は，当該期間の一部において，予告演出シナリオ１−１の星画像Ｗ１に重なった状態で表示される」から，予告演出シナリオ１−１の星画像Ｗ１（予告演出１）と予告演出シナリオ４−１の稲妻画像Ｗ４（予告演出４）は，一回の変動表示において両方実行され，予告演出シナリオ１−１の星画像Ｗ１（予告演出１）は予告演出シナリオ４−１の稲妻画像Ｗ４（予告演出４）によって一部隠されているといえる。
　よって，刊行物１発明の「予告演出シナリオ１−１の星画像Ｗ１と予告演出シナリオ４−１の稲妻画像Ｗ４は，同時に表示される期間があり，予告演出シナリオ４−１の稲妻画像Ｗ４は，当該期間の一部において，予告演出シナリオ１−１の星画像Ｗ１に重なった状態で表示されるものである」との構成と，本願発明の「前記予告手段は、一回の前記図柄変動表示の実行中において、前記第三の予告と前記第四の予告の両方の予告を実行可能な手段であり、前記第一の種類の予告は、前記第二の種類の予告によって少なくとも一部が隠される場合がある予告である」との構成は，予告手段は、一回の図柄変動表示の実行中において、第一の種類の予告と第二の種類の予告の両方の予告を実行可能な手段であり、前記第一の種類の予告は、前記第二の種類の予告によって少なくとも一部が隠される場合がある予告であるという点で共通する。
　したがって，本願発明と刊行物１発明とは，
「図柄変動表示を実行可能な図柄表示手段と、
　複数種類の予告を実行可能な予告手段と、
　表示手段と、
を備えた遊技台であって、
　前記複数種類の予告のうちの少なくとも一つは、第一の種類の予告であり、
　前記複数種類の予告のうちの前記第一の種類の予告とは別の少なくとも一つは、第二の種類の予告であり、
　前記第一の種類の予告は、前記図柄変動表示の実行中において、該図柄変動表示に関連する予告であり、
　前記第二の種類の予告は、前記図柄変動表示の実行中において、該図柄変動表示に関連する予告であり、
　前記第一の種類の予告は、複数の予告を含む予告であり、
　前記第二の種類の予告は、複数の予告を含む予告であり、
　前記予告手段は、前記表示手段に同じ形を表示させることにより前記第一の種類の予告を実行する手段であり、
　前記予告手段は、前記表示手段に同じ形を表示させることにより前記第二の種類の予告を実行する手段であり、
　前記予告手段は、一回の前記図柄変動表示の実行中において、前記第一の種類の予告と前記第二の種類の予告の両方の予告を実行可能な手段であり、
　前記第一の種類の予告は、前記第二の種類の予告によって少なくとも一部が隠される場合がある予告である、
遊技台。」
という点で一致し，以下の点で相違する。
［相違点１］
　「第一の種類の予告」と「第二の種類の予告」について，本願発明が「第一の種類の予告」が「第一の予告」と「第三の予告」とを含み，「（第三の予告を実行する際に表示される）前記第三の表示における少なくとも一部（以下、「第一の領域」という。）の模様（以下、「第一の模様」という。）は、（第一の予告を実行する際に表示される）前記第一の表示における前記第一の領域に対応する領域の模様と異なる模様であり」，「第二の種類の予告」が「第二の予告」と「第四の予告」とを含み，「（第四の予告を実行する際に表示される）前記第四の表示における少なくとも一部（以下、「第二の領域」という。）の模様（以下、「第二の模様」という。）は、（第二の予告を実行する際に表示される）前記第二の表示における前記第二の領域に対応する領域の模様と異なる模様で」あるのに対し，刊行物１発明がその様な構成を有するか否か不明である点。
［相違点２］
　「第一の種類の予告」と「第二の種類の予告」が相違点１の点で異なることに加えて，本願発明が「第一の種類の予告」が「第一の予告」と「第三の予告」とを含み，「第二の種類の予告」が「第二の予告」と「第四の予告」とを含み，「（第四の予告を実行する際に表示される前記第四の表示における）前記第二の模様は、（第三の予告を実行する際に表示される前記第三の表示における）前記第一の模様と同じ模様」であるのに対し，刊行物１発明がその様な構成を有するか否か不明である点。
［相違点３］
　「第一の種類の予告」と「第二の種類の予告」が相違点１，２の点で異なることに加えて，本願発明が「第一の種類の予告」が「第一の予告」と「第三の予告」とを含み，「第二の種類の予告」が「第二の予告」と「第四の予告」とを含み，「前記予告手段は、一回の前記図柄変動表示の実行中において、前記第三の予告と前記第四の予告の両方の予告を実行可能な手段」を有するのに対し，刊行物１発明は，その様な構成を有するか否か不明である点。
　ここで，上記相違点１は，上記第２の３（４）に示した相違点２と実質的に同じであり，上記相違点２は，上記第２の３（４）に示した相違点３と実質的に同じである。
　また，上記相違点３は，上記第２の３（４）に示した相違点４における「前記第三の予告と前記第四の予告は、少なくとも一部の期間が重なって行われる」との事項を，「一回の前記図柄変動表示の実行中において、前記第三の予告と前記第四の予告の両方の予告を実行可能」という上位概念の事項にしたものである。
　そして，これらの相違点１−３については，上記第２の３（５）（ア）において検討したとおりである。
　したがって，本願発明は刊行物１発明及び刊行物２に記載された技術事項に基づいて，当業者が容易に発明をすることができたものであるから，特許法第２９条第２項の規定により特許を受けることができない。
４　むすび
　以上のとおりであるから，本願発明は，特許法第２９条第２項の規定により特許を受けることができない。
　したがって，その余の請求項に係る発明について検討するまでもなく，本願は拒絶されるべきものである。
　よって，結論のとおり審決する。